【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
縦方向と、横方向と、第一部分と、第二部分とを有する吸収性物品であって、
ａ）前記吸収性物品の身体側表面を形成する第一主表面を有するトップシートと、
ｂ）前記吸収性物品の衣類側表面を形成する、前記第一主表面に対し遠い側に位置する第二主表面を有するバックシートと、
ｃ）前記トップシートの前記第一主表面において前記第二部分に付与される身体用接着剤と、
ｄ）前記吸収性物品を、前記吸収性物品の使用者の下着に取り付けるための衣類取り付け装置と、
から成り、
前記衣類取り付け装置は、前記吸収性物品の前記第一部分に存在することを特徴とする吸収性物品。
【請求項２】
縦方向と、横方向と、第一端部と、第二端部と、前記第一端部と前記第二端部を結合する中間部とを有する吸収性物品であって、
ａ）第一主表面を有し、前記吸収性物品の身体側表面を形成するトップシートと、
ｂ）前記第一主表面から通り側に位置し、前記吸収性物品の衣類側表面を形成する第二主表面を有するバックシートと、
ｃ）前記トップシートの前記第一主表面の前記第一端部と前記第二端部に付与される身体用接着剤と、
ｄ）前記吸収性物品を、前記吸収性物品の使用者の下着に取り付けるための衣類取り付け装置と、
を含み、
前記衣類取り付け機構は、前記吸収性物品の前記中間区分に存在することを特徴とする吸収性物品。
【請求項３】
ｅ）前記バックシートと前記トップシートとの間に配置される吸収性芯を更に含むことを特徴とする請求項１または２に記載の吸収性物品。
【請求項４】
前記第二部分は前記吸収性物品の前記縦方向の約１０％から約５０％を構成し、前記第一部分は前記吸収性物品の前記縦方向の約５０％から約９０％を構成することを特徴とする請求項１に記載の吸収性物品。
【請求項５】
前記身体用接着剤は、感圧性接着剤であることを特徴とする請求項１に記載の吸収性物品。
【請求項６】
前記第一部分は、前記バックシートと前記トップシートとの間に配置された吸収性芯を含み、前記第二部分は前記バックシートと前記トップシートとからなることを特徴とする請求項３に記載の吸収性物品。
【請求項７】
前記第二部分には、吸収性芯がないことを特長とする請求項６に記載の吸収性物品。
【請求項８】
前記トップシートは液体透過性材料からなり、前記バックシートは液体不透過性材料からなることを特徴とする請求項１、２、及び７のいずれかに記載の吸収性物品。
【請求項９】
前記第二部分は前記吸収性物品の前記縦方向の１／３にわたっており、前記第一部分は前記吸収性物品の前記縦方向の２／３にわたっていることを特徴とする請求項１または７に記載の吸収性物品。
【請求項１０】
前記衣類取り付け装置は、前記第二主表面に付与される接着剤、前記第二主表面に付与される機械取り付けシステム、各々の縦方向側縁から延びる取り付け用パネル、前記第二主表面に取り付けられる取り付け用パネル、又は、これらの組み合わせからなることを特徴とする請求項１、２、及び７のいずれかに記載の吸収性物品。
【請求項１１】
前記吸収性物品の前記第一部分は、第一区分と第二区分とに分けられ、前記第二区分は前記第二部分の近傍にあり、前記第一区分と前記第二区分の各々は、前記縦方向の長さを有し、前記第二区分の前記長さは、前記第一区分の前記長さと等しいか又はこれより大きく、前記吸収性物品は、前記第一区分が、前記第二区分上に折り曲げられるように三つ折りされて、前記第一区分の前記トップシートと前記第二区分の前記トップシートが、前記第一区分の前記バックシートを露出した状態で互いに直接又は間接的に対面関係となり、前記第二部分は前記第一区分の前記バックシート上に折り曲げられて、前記第二部分に存在する前記身体用接着剤が、前記第一区分の前記バックシートと接触するようになったことを特徴とする請求項４または７に記載の吸収性物品。
【請求項１２】
前記衣類取り付け装置は、前記吸収性物品の前記第二区分の前記縦方向側縁から延びる取り付け用パネルを含むことを特徴とする請求項１１に記載の吸収性物品。
【請求項１３】
前記吸収性物品の前記第一部分は、第一区分と第二区分とに分けられ、前記第二区分は、前記第二部分の近傍にあり、前記第一区分と前記第二区分の各々は、前記縦方向に長さを有し、前記第二区分の前記長さは、前記第一区分の前記長さと等しいか又はこれより大きく、前記吸収性物品は、前記第一区分が、前記第二区分上に折り曲げられるように三つ折りされて、前記第一区分の前記トップシートと前記第二区分の前記トップシートが、前記第一区分の前記バックシートを露出し手いる状態で互いに直接又は間接的に対面関係となり、前記第二部分は、前記第一区分の前記バックシート上に折り曲げられて、前記第二部分に存在する前記身体用接着剤が、前記第一区分の前記バックシートと接触するようになったことを特徴とする請求項１に記載の吸収性物品。
【請求項１４】
前記衣類取り付け装置は、前記吸収性物品の前記第二区分の前記縦方向側縁から延びる取り付け用パネルを含み、前記取り付け用パネルは、前記第一区分を前記第二区分上に折り曲げる前に、前記第一部分の前記トップシート上に折り曲げられ、前記取り付け用パネルは、前記第一区分の前記トップシートと前記第二区分の前記トップシートとの間に位置決めされることを特徴とする請求項１３に記載の吸収性物品。
【請求項１５】
前記吸収性物品の前記第一部分は、第一区分と第二区分とに分けられ、前記第二区分は、前記第二部分の近傍にあり、前記第一区分と前記第二区分の各々は、前記縦方向に長さを有し、前記第二区分の前記長さは、前記第一区分の前記長さと等しいか又はこれより大きく、前記吸収性物品は、前記第二部分に存在する身体用接着剤が剥離ライナーを覆うように三つ折りされて、前記剥離ライナーは、前記第二区分の前記トップシートと直接又は間接的に対面関係となって前記第二部分の前記バックシートを露出しており、前記第一区分は、前記第二部分の前記バックシートが前記第一区分の前記トップシートと、直接又は間接的に接触するように前記第二部分の前記バックシート上に折り曲げられたことを特徴とする請求項１に記載の吸収性物品。
【請求項１６】
前記衣類取り付け装置は、前記吸収性物品の前記第二区分の前記縦方向側縁から延びる取り付け用パネルを含み、前記取り付け用パネルは、前記第二部分を前記第二区分上に折り曲げる前に、前記第一部分の前記トップシート上に折り曲げられ、前記取り付け用パネルは、前記第二部分の前記トップシートと前記第二区分の前記トップシートとの間に位置決めされることを特徴とする請求項１５に記載の吸収性物品。
【請求項１７】
前記トップシートと前記バックシートは、伸張可能であることを特徴とする請求項１に記載の吸収性物品。
【請求項１８】
前記トップシート、前記バックシート及び前記吸収性芯は、伸張可能であることを特徴とする請求項３に記載の吸収性物品。
【請求項１９】
前記第一部分の前記トップシートの前記第一主表面には、実質的に身体用接着剤がないことを特徴とする請求項１に記載の吸収性物品。
【請求項２０】
前記第一部分の前記トップシートの前記第一主表面には、身体用接着剤がないことを特徴とする請求項１９に記載の吸収性物品。
【請求項２１】
前記中間部の前記トップシートの前記第一主表面には、実質的に身体用接着剤がないことを特徴とする請求項２に記載の吸収性物品。
【請求項２２】
前記中間部の前記トップシートの前記第一主表面には、身体用接着剤がないことを特徴とする請求項２１に記載の吸収性物品。
【請求項２３】
使用に際して吸収性物品をどのように着用するかの選択を、消費者に与える方法であって、
衣類取り付け機構と身体用接着剤の両方を有する吸収性物品を形成し、
前記身体用接着剤、前記衣類取り付け機構、又は、前記身体用接着剤と衣類取り付け機構との組み合わせによって、どのように前記吸収性物品を着用するかの指示を提供する、
ことを特徴とする方法。
【請求項２４】
前記吸収性物品は、縦方向と、横方向と、第一端部と、第二端部と、前記第一端部を前記第二端部に結合する中間部とを含んでおり、該吸収性物品は、
ａ）第一主表面を有し、前記吸収性物品の身体側表面を形成するトップシートと、
ｂ）前記第一主表面から遠い側に位置し、前記吸収性物品の衣類側表面を形成する第二主表面を有するバックシートと、
ｃ）前記トップシートの前記第一主表面の前記第一端部と前記第二端部に付与される身体用接着剤と、
ｄ）前記吸収性物品を前記吸収性物品の使用者の下着に取り付けるための衣類取り付け用装置と、
を含み、
前記衣類取り付け機構は、前記吸収性物品の前記中間部に存在することを特徴とする請求項２３に記載の方法。